(57)【特許請求の範囲】
【請求項１】
異種網無線通信システムにおける第１基地局のセル間の負荷分散方法において、
前記第１基地局によって端末がサービングされるセル領域を設定する段階と、
前記第１基地局または第２基地局によって端末がサービングされ得り、前記セル領域と相違した予備領域を設定する段階と、
前記第１基地局及び前記第２基地局の負荷状態から、セル間の干渉制御機能の活性化可否、セル間の干渉制御パートナーセルの存在有無、現在適用中のＡＢＳ（Ａｌｍｏｓｔ  Ｂｌａｎｋ  Ｓｕｂｆｒａｍｅ）比率、前記予備領域に位置する端末のうち前記第１基地局をサービング基地局とする端末の存否のうち少なくとも１つに基づいて、前記第１基地局のセル間の負荷分散の要否を判断する段階と、
前記負荷分散の要否に基づいて、前記予備領域に位置する端末を前記第１基地局または前記第２基地局にハンドオーバーする段階とを含み、
前記予備領域は、第１予備領域と、第２予備領域とを含み、
前記第１予備領域は、隣接セル干渉除去機能を支援しない端末のための領域であり、
前記第２予備領域は、隣接セル干渉除去機能を支援する端末のための領域であることを特徴とするセル間の負荷分散方法。
【請求項２】
前記予備領域に位置する端末のうち前記第１基地局をサービング基地局とする端末を、第１状態と決定し、前記予備領域に位置しない端末のうち前記第１基地局をサービング基地局にする端末を、第２状態と決定することを特徴とする請求項１に記載のセル間の負荷分散方法。
【請求項３】
前記負荷分散の要否を判断する段階は、あらかじめ設定された周期ごとに実行され、
負荷分散の必要時に、前記第１状態にある端末を前記第２基地局にハンドオーバーする段階をさらに含むことを特徴とする請求項２に記載のセル間の負荷分散方法。
【請求項４】
前記負荷分散の要否を判断する段階の後に、
負荷分散のための少なくとも１つ以上の端末を選定する段階と、
前記選定された端末に測定報告を要請する段階と、
前記要請に対応して、前記選定された端末から測定報告を受信する段階とをさらに含むことを特徴とする請求項３に記載のセル間の負荷分散方法。
【請求項５】
前記選定する段階は、
あらかじめ定義された臨界値以下の負荷を有する前記第２基地局によりサービングされ、前記予備領域に位置する端末を、前記負荷分散のための端末に選定することを特徴とする請求項４に記載のセル間の負荷分散方法。
【請求項６】
前記ハンドオーバーする段階は、
前記第２基地局に対するＲＳＲＰ（Ｒｅｆｅｒｅｎｃｅ  Ｓｉｇｎａｌ  ＲｅｃｅｉｖｅｄＰｏｗｅｒ）が最も大きい端末を、前記ハンドオーバーを行う端末に決定することを特徴とする請求項４に記載のセル間の負荷分散方法。
【請求項７】
前記第１基地局がマクロ基地局である場合、前記第２基地局は、小型基地局であり、または前記第１基地局が小型基地局である場合、前記第２基地局は、マクロ基地局であることを特徴とする請求項１に記載のセル間の負荷分散方法。
【請求項８】
任意の端末が前記予備領域に進入するかまたは離脱すれば、測定報告を行うように設定された測定報告設定メッセージを、前記第１基地局をサービング基地局とする端末に伝送する段階をさらに含むことを特徴とする請求項１に記載のセル間の負荷分散方法。
【請求項９】
前記予備領域に移動した端末から測定報告を受信する段階と、
前記予備領域に移動した端末の状態を前記第１状態に遷移する段階とをさらに含むことを特徴とする請求項２に記載のセル間の負荷分散方法。
【請求項１０】
異種網無線通信システムにおいてセル間の負荷を分散する第１基地局において、
送受信部と、
前記送受信部に接続して前記送受信部を制御し、前記第１基地局によって端末がサービングされるセル領域を設定し、前記第１基地局または第２基地局によって端末がサービングされ得り、前記セル領域と相違した予備領域を設定し、前記第１基地局及び前記第２基地局の負荷状態から、セル間の干渉制御機能の活性化可否、セル間の干渉制御パートナーセルの存在有無、現在適用中のＡＢＳ（Ａｌｍｏｓｔ  Ｂｌａｎｋ  Ｓｕｂｆｒａｍｅ）比率、前記予備領域に位置する端末のうち前記第１基地局をサービング基地局とする端末の存否のうち少なくとも１つに基づいて、前記第１基地局のセル間の負荷分散の要否を判断し、前記負荷分散の要否に基づいて前記予備領域に位置する端末を前記第１基地局または前記第２基地局にハンドオーバーするように制御する制御部とを含み、
前記予備領域は、第１予備領域と、第２予備領域とを含み、
前記第１予備領域は、隣接セル干渉除去機能を支援しない端末のための領域であり、
前記第２予備領域は、隣接セル干渉除去機能を支援する端末のための領域であることを特徴とする第１基地局。
【請求項１１】
第１基地局と第２基地局を含む異種網無線通信システムにおける端末の測定報告方法において、
前記第１基地局から測定報告設定メッセージを受信する段階と、
前記第１基地局または前記第２基地局によって前記端末がサービングされ得る予備領域へ前記端末が進入したのか感知する段階と、
前記測定報告設定メッセージの設定によって前記第１基地局に測定報告を伝送する段階と、
前記端末が前記予備領域に進入した場合、前記第１基地局及び前記第２基地局の負荷状態から、セル間の干渉制御機能の活性化可否、セル間の干渉制御パートナーセルの存在有無、現在適用中のＡＢＳ（Ａｌｍｏｓｔ  Ｂｌａｎｋ  Ｓｕｂｆｒａｍｅ）比率、前記予備領域に位置する端末のうち前記第１基地局をサービング基地局とする端末の存否のうち少なくとも１つに基づいて判断される負荷分散の要否に基づいて前記端末を前記第１基地局または前記第２基地局にハンドオーバーするのか判断する段階とを含み、
前記予備領域は、第１予備領域と、第２予備領域とを含み、
前記第１予備領域は、隣接セル干渉除去機能を支援しない端末のための領域であり、
前記第２予備領域は、隣接セル干渉除去機能を支援する端末のための領域であることを特徴とする測定報告方法。
【請求項１２】
第１基地局と第２基地局を含む異種網無線通信システムにおいて測定報告を行う端末において、
送受信部と、
前記送受信部に接続して前記送受信部を制御し、前記第１基地局から測定報告設定メッセージを受信し、前記第１基地局または前記第２基地局によって前記端末がサービングされ得る予備領域へ前記端末が進入したのか感知し、前記測定報告設定メッセージの設定によって前記第１基地局に測定報告を伝送し、前記端末が前記予備領域に進入した場合、前記第１基地局及び前記第２基地局の負荷状態から、セル間の干渉制御機能の活性化可否、セル間の干渉制御パートナーセルの存在有無、現在適用中のＡＢＳ（Ａｌｍｏｓｔ  Ｂｌａｎｋ  Ｓｕｂｆｒａｍｅ）比率、前記予備領域に位置する端末のうち前記第１基地局をサービング基地局とする端末の存否のうち少なくとも１つに基づいて判断される負荷分散の要否に基づいて前記端末を前記第１基地局または前記第２基地局にハンドオーバーするのか判断するように制御する制御部とを含み、
前記予備領域は、第１予備領域と、第２予備領域とを含み、
前記第１予備領域は、隣接セル干渉除去機能を支援しない端末のための領域であり、
前記第２予備領域は、隣接セル干渉除去機能を支援する端末のための領域であることを特徴とする端末。
【発明の詳細な説明】
【技術分野】
【０００１】
本発明は、無線通信システムに関し、より具体的に、異種網無線通信システムでセル間の負荷分散及び干渉緩和のための方法及び装置に関する。
【背景技術】
【０００２】
一般的に、移動通信システムは、ユーザの活動性を保障しながら音声サービスを提供するために開発された。しかし、移動通信システムは、次第に音声のみならず、データサービスまで領域を拡張しており、現在には、高速のデータサービスを提供できる程度まで発展した。しかし、現在サービスが提供されている移動通信システムでは、資源の不足現象及びユーザがより高速のサービスを要求するので、より発展した移動通信システムが要求されている。
【０００３】
このような要求に応じて、次世代移動通信システムに開発中の１つのシステムとして、３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）でＬＴＥ（Ｌｏｎｇ  Ｔｅｒｍ  Ｅｖｏｌｕｔｉｏｎ）に対する規格作業が進行中にある。ＬＴＥは、最大１００Ｍｂｐｓ程度の伝送速度を有する高速パケット基盤通信を具現する技術である。このために、さまざまな方案が論議されており、例えば、ネットワークの構造を簡単にして通信路上に位置するノードの数を減らす方案や、無線プロトコルを最大限無線チャネルに近接させる方案などがある。
【０００４】
特に、最近、時間領域セル間の干渉調整（Ｔｉｍｅ−Ｄｏｍａｉｎ  Ｉｎｔｅｒ−ＣｅｌｌＩｎｔｅｒｆｅｒｅｎｃｅ  Ｃｏｏｒｄｉｎａｔｉｏｎ）のための規格化が進行されているが、これによって、基地局が端末を効果的に管理する必要性が提起された。
【発明の概要】
【発明が解決しようとする課題】
【０００５】
本発明は、前記のような問題点を解決するためになされたものであって、マクロセルと小型セルが混在した異種網移動通信システムで基地局が端末を効果的に管理するための方法及び装置を提供することを目的とする。
【０００６】
より具体的に、本発明は、基地局が端末を効果的に管理して、セル間の負荷分散及び干渉緩和のための方法及び装置を提供することを目的とする。
【課題を解決するための手段】
【０００７】
前記のような問題点を解決するために、本発明による第１基地局と第２基地局を含む異種網無線通信システムで第１基地局のセル間の負荷分散方法は、セル間の負荷を分散させるために、前記第２基地局に対する予備領域を設定する段階と、前記予備領域によって基地局間の負荷を分散させるように制御する段階とを含むことを特徴とする。
【０００８】
また、本発明による第１基地局と第２基地局を含む異種網無線通信システムでセル間の負荷を分散する第１基地局は、端末または前記第２基地局と信号を送受信する送受信部と、セル間の負荷を分散させるために、前記第２基地局に対する予備領域を設定し、前記予備領域によって基地局間の負荷を分散させるように制御する制御部とを含むことを特徴とする。
【０００９】
また、本発明による第１基地局と第２基地局を含む異種網無線通信システムで端末の測定報告方法は、前記第１基地局から測定報告設定メッセージを受信する段階と、前記第２基地局に対する予備領域への進入または離脱を感知する段階と、前記測定報告設定メッセージの設定によって前記第１基地局に測定報告を伝送する段階とを含むことを特徴とする。
【００１０】
また、本発明による第１基地局と第２基地局を含む異種網無線通信システムで測定報告を行う端末は、基地局と信号を送受信する送受信部と、前記第１基地局から測定報告設定メッセージを受信し、前記第２基地局に対する予備領域への進入または離脱を感知し、前記測定報告設定メッセージの設定によって前記第１基地局に測定報告を伝送するように制御する制御部とを含むことを特徴とする。
【発明の効果】
【００１１】
本発明によれば、マクロ基地局と小型基地局が混在した異種網移動通信システムでセル間の負荷分散方法及びセル間の干渉調整方法を提供し、網の無線資源効率を増大させることができる。また、本発明によれば、セル間の負荷分散方法及びセル間の干渉調整方法を提供するにあたって、網の負荷分散状態を適応的に反映できる。
【図面の簡単な説明】
【００１２】
【図１】図１は、マクロセルと小型セルが混在した異種網（ＨｅｔＮｅｔ，Ｈｅｔｅｒｏｇｅｎｅｏｕｓ  Ｎｅｔｗｏｒｋ）移動通信システムを示す図である。
【図２】図２は、異種網構造を有する移動通信システムで小型基地局のセル領域拡張を示す図である。
【図３】図３は、本発明の実施例による網（ネットワーク）構造を示す図である。
【図４】図４は、本発明の一実施例によるマクロ基地局の内部構造を示すブロック図である。
【図５】図５は、本発明の実施例による小型基地局の内部構造を示すブロック図である。
【図６】図６は、本発明の実施例によるセル領域拡張の適用時に端末の状態概念を示す図である。
【図７】図７は、本発明の一実施例によるセル特定、端末特定小型セル拡張領域設定の１つの例示を示す図である。
【図８】図８は、本発明の実施例によるセル領域拡張の適用時に端末の状態遷移図の例示を示す図である。
【図９】図９は、本発明の実施例によるマクロ基地局の端末状態管理のための測定報告設定及び端末状態管理方法を示す図である。
【図１０】図１０は、本発明の実施例による小型基地局の端末状態管理のための測定報告設定及び端末状態管理方法を示す図である。
【図１１】図１１は、本発明の実施例によるマクロ基地局と小型基地局の概略的な負荷分散動作を示す図である。
【図１２】図１２は、本発明の実施例によるマクロ基地局のＡＢＳ比率計算方法の１つの例示を示す図である。
【図１３】図１３は、本発明の一実施例によるマクロ基地局と小型基地局の負荷分散のためのハンドオーバー判断方法を示す図である。
【図１４】図１４は、本発明の一実施例によるマクロ基地局と小型基地局の負荷分散ハンドオーバー（ｆｏｒｃｅｄ  ｈａｎｄｏｖｅｒ）動作手続を示す流れ図である。
【図１５】図１５は、本発明の一実施例によるマクロ基地局から小型基地局に負荷分散ハンドオーバー実行時にマクロ基地局１５１０、小型基地局１５２０、端末１５３０の動作及びメッセージ流れの例を示す図である。
【図１６】図１６は、本発明の一実施例による負荷分散ハンドオーバーとＣＲＥ領域調節の結合を統合負荷分散方法の概念を示す図である。
【図１７】図１７は、本発明の実施例によるマクロ基地局と小型基地局の負荷分散ハンドオーバーとＣＲＥ領域調節の結合を統合セル間の負荷分散動作過程を示す流れ図である。
【図１８】図１８は、本発明の実施例による負荷分散ハンドオーバーとＣＲＥ領域調節の結合を統合セル間の負荷分散動作手続で基地局の負荷分散ハンドオーバー手続を示す図である。
【図１９】図１９は、本発明の実施例による端末の内部構造を示すブロック図である。
【発明を実施するための形態】
【００１３】
以下、添付の図面を参照して本発明の好ましい実施例を詳しく説明する。この際、添付の図面で同一の構成要素は、できるだけ同一の符号で示していることに留意すべきである。また、本発明の要旨を不明にすることができる公知機能及び構成に対する詳細な説明は省略する。
【００１４】
本明細書で実施例を説明するに際して、本発明の属する技術分野によく知られており、本発明と直接的に関連がない技術内容については説明を省略する。これは、不要な説明を省略することによって、本発明の要旨を不明にせず、明確に伝達するためのものである。
【００１５】
同様の理由で添付の図面において一部の構成要素は、誇張されるか、省略されるか、概略的に図示された。また、各構成要素のサイズは、実際サイズを全く反映するものではない。各図面で同一または対応の構成要素には、同一の参照番号を付与した。
【００１６】
本発明の利点及び特徴、そしてそれらを  達成する方法は、添付の図面と共に詳細に後述する実施例を参照すれば明確になる。しかし、本発明は、以下で開示される実施例に限定されるものではなく、互いに異なる多様な形態で具現され得、ただ本実施例は、本発明の開示が完全になるようにし、本発明の属する技術分野における通常の知識を有する者に発明の範疇を完全に通知するために提供されるものであり、本発明は、請求項の範疇によって定義されるだけである。明細書全体にわたって、同一参照符号は、同一構成要素を指称する。
【００１７】
この際、処理流れ図の各ブロックと流れ図の組合は、コンピュータプログラムインストラクションによって行われることができることを理解することができる。これらコンピュータプログラムインストラクションは、汎用コンピュータ、特殊用コンピュータまたはその他プログラム可能なデータプロセッシング装備のプロセッサに搭載され得るので、コンピュータまたはその他プログラム可能なデータプロセッシング装備のプロセッサを通じて行われる該インストラクションが流れ図ブロックで説明された機能を行う手段を生成する。これらコンピュータプログラムインストラクションは、特定の方式で機能を具現するためにコンピュータまたはその他プログラム可能なデータプロセッシング装備を志向できるコンピュータ利用可能またはコンピュータ読み取り可能なメモリに格納されることも可能なので、そのコンピュータ利用可能またはコンピュータ読み取り可能なメモリに格納されたインストラクションは、流れ図ブロックで説明された機能を行うインストラクション手段を内包する製造品目を生産することも可能である。コンピュータプログラムインストラクションは、コンピュータまたはその他プログラム可能なデータプロセッシング装備上に搭載されることも可能なので、コンピュータまたはその他プログラム可能なデータプロセッシング装備上で一連の動作段階が行われ、コンピュータで実行されるプロセスを生成し、コンピュータまたはその他プログラム可能なデータプロセッシング装備を行うインストラクションは、流れ図ブロックで説明された機能を行うための段階を提供することも可能である。
【００１８】
また、各ブロックは、特定された論理的機能を行うための１つ以上の実行可能なインストラクションを含むモジュール、セグメントまたはコードの一部を示すことができる。また、いくつかの代替実行例では、ブロックで言及された機能が手順を脱して発生することが可能であることに注目すべきである。例えば、相次いで図示されている二つのブロックは、実質的に同時に行われることも可能であり、またはそのブロックが時々該当する機能によって逆順に行われることも可能である。
【００１９】
この際、本実施例で使用される「〜部」という用語は、ソフトウェアまたはＦＰＧＡまたはＡＳＩＣのようなハードウェア構成要素を意味し、「〜部」は、任意の役目を行う。しかしながら、「〜部」は、ソフトウェアまたはハードウェアに限定される意味ではない。「〜部」は、アドレッシングできる格納媒体にあるように構成されてもよく、またはそれ以上のプロセッサを再生させるように構成されてもよい。したがって、一例として、「〜部」は、ソフトウェア構成要素、客体志向ソフトウェア構成要素、クラス構成要素及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と「〜部」内で提供される機能は、さらに小さい数の構成要素及び「〜部」に結合されるか、または追加的な構成要素と「〜部」にさらに分離できる。しかも、構成要素及び「〜部」は、デバイスまたは保安マルチメディアカード内の１つまたはそれ以上のＣＰＵを再生させるように具現されることもできる。
【００２０】
以下では、本発明の実施例では、マクロセルと小型セルが混在する異種網移動通信システムで、負荷分散及びセル間の干渉調整に対する方法及び装置について記述する。特に、マクロ基地局と小型基地局が混在した異種網移動通信システムで既存に構築されて運用中のマクロ基地局（またはセル）領域に重畳されるように小型基地局（またはセル）を追加に構築して運用する場合、前記マクロ基地局と前記小型基地局との間に負荷を分散させ、前記マクロ基地局が前記小型基地局に及ぶ干渉影響を緩和させるための装置及び方法について記述する。
【００２１】
図１は、マクロセルと小型セルが混在した異種網（ＨｅｔＮｅｔ，ＨｅｔｅｒｏｇｅｎｅｏｕｓＮｅｔｗｏｒｋ）移動通信システムを示す図である。
【００２２】
移動通信システムで網内のデータトラフィック及び使用のデート速度向上要求が持続的に増加している。これを解決するための方法の１つとして、追加的な網の構築を通じて単位面積当たりのトラフィック容量を増大させている。
【００２３】
追加的な網構築は、マクロセル（ｍａｃｒｏ  ｃｅｌｌ）基地局の局舍を増やして、各セルの領域を低減するか、またはマクロセル領域内に低い出力の小型基地局（ｓｍａｌｌ  ｃｅｌｌ）を追加的に構築する方法がある。
【００２４】
小型基地局の追加構築は、マクロ基地局の局舍増設に比べて費用の側面から有利であるが、マクロ基地局と小型基地局間の出力差とアンテナ設置位置の差などに起因して既存構築されたマクロセルの負荷が追加構築された小型セルに充分に分散しないことがある。
【００２５】
図２は、異種網構造を有する移動通信システムで小型基地局のセル領域拡張を示す図である。
【００２６】
前記負荷分散問題を解決するための方法として、小型基地局に対するセル領域拡張（ＣＲＥ，Ｃｅｌｌ  Ｒａｎｇｅ  Ｅｘｐａｎｓｉｏｎ）方法を考慮できる。
【００２７】
一般的に、端末のサービングセル選択は、端末が周辺セルの受信電力を測定し、測定された受信電力が最も大きいセルが選択される。セル領域拡張方法は、端末の受信電力測定にセル特定オフセットを適用することによって、当該セルがサービングセルとして選択される領域を図２１０のように拡大させる方法である。前記のような方法を通じて小型セルにセル領域拡張を適用することによって、マクロセルの負荷を小型セルに分散させることができる。
【００２８】
しかし、セル拡張領域に位置する小型セル端末は、サービング小型セル信号に比べて強いマクロセル下向きリンクセルの干渉に起因して正常な通信が不可能なことがあるため、セル間の干渉制御方案が必要である。
【００２９】
前記問題を解決するための方法として、最近、時間領域セル間の干渉調整（Ｔｉｍｅ−Ｄｏｍａｉｎ  Ｉｎｔｅｒ−Ｃｅｌｌ  Ｉｎｔｅｒｆｅｒｅｎｃｅ  Ｃｏｏｒｄｉｎａｔｉｏｎ）のための規格化が進行された。時間領域セル間の干渉調整では、干渉原因マクロ基地局は、一部のサブフレーム（Ｓｕｂｆｒａｍｅ）で特定信号伝送、チャネル伝送、及び活動を制限し、当該サブフレームをＡＢＳ（Ａｌｍｏｓｔ  Ｂｌａｎｋ  Ｓｕｂｆｒａｍｅ）と称する。
【００３０】
小型セルの端末は、当該サブフレームでマクロセルから干渉を少し受けるようになり、小型基地局は、当該サブフレームを前記マクロセルから強い干渉が予想される端末に対する伝送に使用できる。前記ＡＢＳに対する情報は、基地局間のＸ２インターフェースを介して交換される。前記Ｘ２インターフェースは、有線のインターフェースである。
【００３１】
なお、マクロ基地局がＡＢＳを行う場合、小型セルの端末が経験する干渉は、マクロセルのＡＢＳと非ＡＢＳの可否によって大きい差が発生し得る。これから発生し得る問題を解決するために、端末がセルを測定して報告するとき、測定の対象となる資源を制限（ｍｅａｓｕｒｅｍｅｎｔｒｅ  ｓｏｕｒｃｅ  ｒｅｓｔｒｉｃｔｉｏｎ）し、制限された資源別に報告するための規格が制定された。
【００３２】
前述したように、異種網でマクロセルの負荷を小型セルに分散する直接的で且つ簡単な方法は、網の小型セルに対してセル特定オフセットを適用し、当該小型セルが拡張されたセル領域に位置する端末に対しては、一括的に小型セルにハンドオーバーを行うものである。
【００３３】
しかし、前記方法によれば、網の性能を極大化できるようにセル間の負荷分散を誘導する小型セルのセル特定オフセット設定を探しにくいことがある。なぜなら、まず、網内の端末の位置及びトラフィック特性は、時間によって変化するので、小型セルのセル領域拡張程度によるマクロセルと小型セル間の負荷分散効果を推定しにくい。また、規格によれば、セル特定オフセットは、サービング基地局が各端末に対して端末特定シグナリング（ｕｓｅｒ−ｓｐｅｃｉｆｉｃ  ｓｉｇｎａｌｉｎｇ）を通じて設定可能である。したがって、シグナリングオーバーヘッドを考慮するとき、マクロセルと小型セルの負荷分散状態によって小型セルのセル領域拡張を目的でセル特定オフセットを動的に変更しにくい。
【００３４】
前述したように、時間領域セル間の干渉調整規格は、異種網でマクロセルの小型セルに対する干渉緩和を行うための基地局間のシグナリング、基地局と端末間のシグナリング、端末の測定資源制限、端末の性能要求事項を含む最小限の規格を規定した。
【００３５】
したがって、異種網で網の容量及び端末速度を極大化するためには、マクロセルと小型セル間の負荷分散と干渉調整を包括する網運営方案及び装置が必要である。
【００３６】
本発明は、前記の必要性によって導出されたものであって、マクロセルと小型セルが混在した異種網移動通信システムで無線資源管理を行うための方法及び装置を提供する。
【００３７】
また、本発明は、マクロセルと小型セルが混在した異種網移動通信システムでマクロセルと小型セル間の負荷分散方法及び装置を提供する。
【００３８】
また、本発明は、マクロセルと小型セルが混在した異種網移動通信システムでマクロセルと小型セル間の干渉調整方法及び装置を提供する。
【００３９】
図３は、本発明の実施例による網（ネットワーク）構造を示す図である。
【００４０】
図３に示されたように、本発明の実施例による異種網無線通信システムでは、マクロ基地局３１０のセル領域３２０内に少なくとも１つ以上の小型基地局３３０が重畳されるように位置する。前記マクロ基地局３１０は、少なくとも１つ以上の周辺マクロ基地局または１つ以上の周辺小型基地局とＸ２インターフェースを有する。小型基地局３３０は、少なくとも１つ以上の周辺マクロ基地局または１つ以上の小型基地局とＸ２インターフェースを有する。小型基地局２２０は、自分がサービスを提供できるセル領域３４０を具備できる。前記セル領域３４０は、本発明の一実施例によって拡張３５０され得る。
【００４１】
前記マクロ基地局３１０は、少なくとも１つ以上の小型基地局３３０と協力して負荷分散及びセル間の干渉調整機能を行うことができる。
【００４２】
また、前記小型基地局３３０は、少なくとも１つ以上のマクロ基地局３１０と協力してセル間の負荷分散機能及びセル間の干渉調整機能を行うことができる。
【００４３】
本発明では、セル間の負荷分散及びセル間の間接調整を行うマクロ基地局と小型基地局間の相手基地局を「ｅＩＣＩＣパートナー基地局（またはセル）」と称することができる。
【００４４】
小型基地局３３０は、マクロ基地局３１０から負荷分散を目的でセル領域拡張を行うことができる。
【００４５】
図４は、本発明の一実施例によるマクロ基地局の内部構造を示すブロック図である。本発明の実施例によるマクロ基地局は、セル間の負荷分散制御部と、セル間の干渉調整部とを含む。
【００４６】
マクロ基地局のセル間の負荷分散制御部は、マクロセル拡張領域端末管理部４０５、自分及び周辺のセル負荷情報管理部４１０、負荷分散ハンドオーバー判断部４１５、負荷分散ハンドオーバー制御部４２０を含むことができる。
【００４７】
マクロ基地局のセル間の干渉調整部は、自セル及び周辺セル負荷情報管理部４１０、ＡＢＳ比率決定部４２５、ＡＢＳパターン生成部４３０、無線パケットスケジューラー４３５、端末の測定資源制御部４４０、小型基地局とのインターフェースを含むことができる。
【００４８】
前記マクロセル拡張領域端末管理部４０５は、マクロセルをサービングセルとする端末から受信したＭＲ情報を入力されて、前記端末をＣＲＥ端末状態とｎｏｎ−ＣＲＥ端末状態とに区分して管理する。そして、前記マクロセル拡張領域端末管理部４０５は、出力で当該情報を負荷分散ハンドオーバー判断部４１５と負荷分散ハンドオーバー制御部４２０に伝達する。
【００４９】
前記自セル及び周辺セル負荷情報管理部４１０は、周辺基地局から受信した周辺セル負荷情報と自セル負荷計算部４４５から受信した自セル負荷情報を入力されて、セル負荷リストを管理する。そして、前記自セル及び周辺セル負荷情報管理部４１０は、出力で当該情報を負荷分散ハンドオーバー判断部４１５とＡＢＳ比率決定部４２５に伝達する。
【００５０】
前記自セル負荷計算部４４５は、無線パケットスケジューラー４３５からパケットスケジューリング情報を入力されて、自セルの負荷を計算する。そして、前記自セル負荷計算部４４５は、出力で当該結果を自セル及び周辺セル負荷情報管理部４１０に伝達する。
【００５１】
前記負荷分散ハンドオーバー判断部４１５は、自セル及び周辺セル負荷情報管理部４１０から自セル及び周辺セル情報を入力されて、自セル負荷を周辺セルに分散可否を判断し、出力でオフロード判断情報を負荷分散ハンドオーバー制御部４２０に伝達する。
【００５２】
前記ＡＢＳ比率決定部４２５は、自セル及び周辺セル負荷情報管理部４１０から自セル及び周辺セル負荷情報を入力されて、ＡＢＳ比率を決定し、出力でＡＢＳ比率情報をＡＢＳパターン生成部４３０に伝達する。
【００５３】
前記負荷分散ハンドオーバー制御部４２０は、マクロセルＣＲＥ端末管理部４０５からＣＲＥ端末からＣＲＥ端末情報と負荷分散ハンドオーバー判断部４１５から負荷分散ハンドオーバー判断情報を入力されて負荷分散ハンドオーバー動作を行う。
【００５４】
前記ＡＢＳパターン生成部４３０は、ＡＢＳ比率決定部４２５からＡＢＳ比率を入力されて、ＡＢＳパターンを決定し、出力でＡＢＳパターンを無線無線パケットスケジューラー４３５とｅＩＣＩＣパートナー小型基地局に伝達する。
【００５５】
前記無線パケットスケジューラー４３５は、ＡＢＳパターン生成部４３０からＡＢＳパターンを入力されて、ＡＢＳパターンを考慮して端末に無線資源をスケジューリングし、出力でスケジューリング結果を自セル負荷計算部４４５に伝達する。
【００５６】
なお、前記では、マクロ基地局が複数のブロックで構成され、各ブロックが異なる機能を行うものと記載されたが、必ずこれに限定されるものではない。例えば、マクロ基地局は、端末または小型基地局と信号を送受信する送受信部を具備でき、これとともに、制御部が前記機能をすべて行うように具現されてもよい。
【００５７】
これによる１つの例示で、制御部は、セル間の負荷を分散させるために前記小型基地局に対する予備領域を設定し、前記予備領域によって端末を管理するように制御できる。この場合、制御部は、前記マクロ基地局をサービング基地局とする端末を、マクロセル基地局予備領域端末とマクロセル非予備領域端末とに区分して管理できる。
【００５８】
そして、制御部は、負荷分散の必要可否を判断し、負荷分散の必要時に任意の端末を前記第２基地局にハンドオーバーさせるように制御できる。この場合、前記制御部は、セル間の干渉制御機能の活性化可否、セル間の干渉制御パートナーセルの存在有無、現在適用中のＡＢＳ（Ａｌｍｏｓｔ  Ｂｌａｎｋ  Ｓｕｂｆｒａｍｅ）比率、マクロセル予備領域端末の存在有無のうち少なくとも１つに基づいて、前記負荷分散の必要可否を判断できる。
【００５９】
また、制御部は、負荷分散のための少なくとも１つ以上の端末を選定し、前記選定された端末に測定報告を要請し、前記要請に対応して前記選定された端末から測定報告を受信するように制御できる。また、制御部は、任意の第２基地局の負荷があらかじめ定義された臨界値以下である第２基地局に対する予備領域に位置する端末を、前記負荷分散のための端末に選定できる。また、制御部は、前記小型基地局に対するＲＳＲＰ（Ｒｅｆｅｒｅｎｃｅ  Ｓｉｇｎａｌ  Ｒｅｃｅｉｖｅｄ  Ｐｏｗｅｒ）が最も大きい端末を、前記ハンドオーバーを行う端末に決定できる。
【００６０】
また、制御部は、任意の端末が前記予備領域に進入するかまたは離脱すれば、測定報告を行うように設定された測定報告設定メッセージを端末に伝送するように制御できる。また、制御部は、前記予備領域に移動した端末から測定報告を受信し、前記予備領域に移動した端末をマクロセル予備領域端末に管理するように制御できる。また、制御部は、前記予備領域を離脱する端末から測定報告を受信し、前記予備領域を離脱する端末をマクロセル非予備領域端末に管理するように制御することができる。
【００６１】
図５は、本発明の実施例による小型基地局の内部構造を示すブロック図である。本発明の一実施例によれば、前記小型基地局は、セル間の負荷分散制御部と、セル間の干渉調整部とを含むことができる。
【００６２】
小型基地局のセル間の負荷分散制御部は、小型セル拡張領域端末管理部５０５、自セル及び周辺セル負荷情報管理部５１０、負荷分散ハンドオーバー判断部５１５、負荷分散ハンドオーバー制御部５２０を含む。
【００６３】
小型基地局のセル間の干渉調整部は、自セル及び周辺セル負荷情報管理部５１０、無線パケットスケジューラー５２５、端末の無線資源測定制御部５３０、小型基地局とのインターフェースを含むことができる。
【００６４】
前記小型ＣＲＥ端末管理部５０５は、小型セルをサービングセルとする端末から受信したＭＲ情報を入力されて、前記端末をＣＲＥ端末状態とｎｏｎ−ＣＲＥ端末状態とに区分して管理できる。そして、前記小型ＣＲＥ端末管理部５０５は、出力で当該情報を負荷分散ハンドオーバー判断部５１５と負荷分散ハンドオーバー制御部５２０に伝達できる。
【００６５】
前記自セル及び周辺セル負荷情報管理部５１０は、周辺基地局から受信した周辺セル負荷情報と自セル負荷計算部５３５から受信した自セル負荷情報を入力されて、セル負荷リストを管理できる。そして、前記自セル及び周辺セル負荷情報管理部５１０は、出力で当該情報を負荷分散ハンドオーバー判断部５１５に伝達できる。
【００６６】
前記自セル負荷計算部５３５は、無線パケットスケジューラー５２５からパケットスケジューリング情報を入力されて、自セルの負荷を計算して、出力で当該結果を自セル及び周辺セル負荷情報管理部５１０に伝達する。
【００６７】
前記負荷分散ハンドオーバー判断部５１５は、自セル及び周辺セル負荷情報管理部５１０から自セル及び周辺セル情報を入力されて、自セル負荷を周辺セルに分散可否を判断し、出力でオフロード判断情報を負荷分散ハンドオーバー制御部５２０に伝達する。
【００６８】
前記負荷分散ハンドオーバー実行部５２０は、小型ＣＲＥ端末管理部５０５からＣＲＥ端末からＣＲＥ端末情報と負荷分散ハンドオーバー判断部５１５から負荷分散ハンドオーバー判断情報を入力されて、負荷分散ハンドオーバー動作を行う。
【００６９】
前記無線パケットスケジューラー５２５は、ｅＩＣＩＣパートナーマクロ基地局からＡＢＳパターン情報を入力されて、ＡＢＳパターンを考慮して端末に無線資源をスケジューリングし、出力でスケジューリング結果を自セル負荷計算部５３５に伝達する。
【００７０】
なお、前記では、小型基地局が複数のブロックで構成され、各ブロックが異なる機能を行うものと記載されたが、必ずこれに限定されるものではない。例えば、任意の制御部が前記機能をすべて行うように具現されることもできる。これは、図４で説明したことがあるので、具体的な説明は省略する。
【００７１】
なお、本発明の実施例によるマクロ基地局及び小型基地局が負荷分散をする方法は、セル領域拡張端末を管理する過程と、自セル及び周辺セルの負荷情報を収集する過程と、オフロード実行可否を判断する過程と、負荷分散ハンドオーバーを行う過程とを含むことができる。以下では、前記の負荷分散方法について具体的に記述する。
【００７２】
図６は、本発明の実施例によるセル領域拡張の適用時に端末の状態概念を示す図である。
【００７３】
以下では、小型基地局の「セル領域拡張以前セル領域６１０」に対して「セル領域拡張以後セル領域６２０」をセル拡張領域（ＣＲＥ領域、または予備領域）と称する。
【００７４】
この場合、本発明の一実施例によれば、前記「セル領域拡張以後セル領域６２０」は、「セル領域拡張以前セル領域６１０」を含まない意味として使用されることがあることに留意すべきである。
【００７５】
小型セルのセル拡張領域に位置し、マクロセルをサービングセルとする端末を「マクロセルＣＲＥ端末」（または「マクロセル予備領域端末」）６１０と称する。前記マクロセルをサービングセルとする端末のうち、「マクロセルＣＲＥ端末」を除いた端末を「マクロセルｎｏｎ−ＣＲＥ端末」（または「マクロセル非予備領域端末」）６２０と称する。小型セルのセル拡張領域に位置し、小型セルをサービングセルとする端末を「小型セルＣＲＥ端末」（または、「小型セル予備領域端末」）６３０と称する。前記小型セルをサービングセルとする端末のうち、「小型セルＣＲＥ端末」を除いた端末を「小型セルｎｏｎ−ＣＲＥ端末」（ 「小型セル非予備領域端末」）６４０と称する。
【００７６】
本発明は、セル領域拡張の適用時に、セル拡張領域をマクロセルまたは小型セルの固有セル領域ではない、マクロセルとピコセルの共有のセル領域として運用することを特徴とする。
【００７７】
図７は、本発明の一実施例によるセル特定、端末特定の小型セル拡張領域設定の１つの例示を示す図である。
【００７８】
小型セルの領域拡張程度（ＣＲＥ  ｂｉａｓまたはＣＲＥ  ｏｆｆｓｅｔ）は、端末の時間領域セル間の干渉調整機能の支援可否と隣接セル干渉除去能力などによって小型セル特定、端末特定で相異に適用され得る。
【００７９】
このために、マクロ基地局と小型基地局は、サービスを提供する端末に対して時間領域セル間の干渉条件機能及び隣接セル干渉除去能力情報を入力されて、小型セルの拡張程度を差別的に適用できる。これを図７を通じて説明する。
【００８０】
マクロ基地局７１０は、サービスを提供する端末のうち時間領域セル間の干渉機能を支援し、隣接セル干渉除去機能を支援しない端末には、小型セル第１セル拡張領域（または小型セル第１予備領域）７２０を端末特定小型セル拡張領域に設定できる。
【００８１】
また、マクロ基地局７１０は、サービスを提供する端末のうち時間領域セル間の干渉機能を支援し、隣接セル干渉除去機能支援する端末には、小型セル第１拡張領域に対して追加に拡張された小型セル第２セル拡張領域（または、小型セル第２予備領域）７３０を端末特定小型セル拡張領域に設定できる。
【００８２】
小型セル第２予備領域７３０が小型セル第１予備領域７２０より広い理由は、前記小型セル第２予備領域７３０は、隣接セル干渉除去機能を支援する端末のためのものであるからであり、当該端末は、隣接セル干渉除去機能を通じて隣接セルからの干渉をより効果的に除去できる。したがって、当該端末は、隣接セル干渉除去機能を支援しない端末に比べて干渉を効果的に除去できるので、より広い領域を通じて小型基地局７４０からサービスを提供され得る。
【００８３】
図８は、本発明の実施例によるセル領域拡張の適用時に端末の状態遷移図の例示を示す図である。
【００８４】
本発明の実施例によれば、端末は、「マクロセルｎｏｎ−ＣＲＥ端末」８１０、「マクロセルＣＲＥ端末」８２０、「小型セルｎｏｎ−ＣＲＥ端末」８３０、「小型セルＣＲＥ端末」８４０のうちいずれか１つの状態を有することができる。
【００８５】
マクロ基地局は、当該基地局をサービング基地局とする端末の状態を、前記端末の状態遷移図によって「マクロセルＣＲＥＵＥ」と「マクロセルｎｏｎ−ＣＲＥＵＥ」とに区分して管理できる。
【００８６】
小型基地局は、当該基地局をサービング基地局とする端末の状態を、前記端末の状態遷移図によって「小型セルＣＲＥＵＥ」と「小型セルｎｏｎ−ＣＲＥＵＥ」とら区分して管理できる。
【００８７】
なお、時間領域セル間の干渉調整機能未支援端末は、マクロセルｎｏｎ−ＣＲＥ端末状態とマクロセルＣＲＥ端末状態のうち１つの状態を有することができる。
【００８８】
なお、時間領域セル間の干渉調整機能支援端末は、マクロセルｎｏｎ−ＣＲＥ端末状態、マクロセルＣＲＥ端末状態、小型セルＣＲＥ端末状態、小型セルＣＲＥ端末状態のうち１つの状態を有することができる。
【００８９】
マクロ基地局は、時間領域セル間の干渉調整機能未支援マクロセル端末に測定報告条件を下記の表１の例示のようにＡ３イベントを利用して設定できる。
【００９０】
【表１】
0006704347.tif 000002
【００９１】
前記端末は、下記測定報告条件が満足されれば、測定報告を行うことができる。
【００９２】
測定報告を受信したマクロ基地局は、前記端末が小型セルにハンドオーバーするように制御できる。ハンドオーバーを行った端末に対して、マクロ基地局は、当該端末を小型セルｎｏｎ−ＣＲＥ端末状態で管理できる。
Ａ３  ｅｖｅｎｔ  ＃Ｍ１  ｆｏｒ  Ｐｉｃｏ
Ｍｐｉｃｏ−Ｈｙｓ（１）＞Ｍｍａｃｒｏ＋Ｏｆｆ（２）
【００９３】
小型基地局は、時間領域セル間の干渉調整機能未支援小型セル端末に測定報告条件を下記の表２のようにＡ３イベントを利用して設定できる。
【００９４】
【表２】
0006704347.tif 000003
【００９５】
前記端末は、下記測定報告条件が満足されれば、測定報告を行うことができる。測定報告を受信した小型基地局は、前記端末がマクロセルにハンドオーバーするように制御できる。ハンドオーバーを行った端末に対して、小型基地局は、当該端末をマクロセルｎｏｎ−ＣＲＥ端末状態で管理する。
Ａ３  ｅｖｅｎｔ  ＃Ｐ１  ｆｏｒ  Ｍａｃｒｏ
Ｍｍａｃｒｏ−Ｈｙｓ（１）＞Ｍｐｉｃｏ＋Ｏｆｆ（２）
【００９６】
なお、マクロ基地局は、マクロセルＣＲＥ端末に対してマクロ基地局と小型基地局の負荷状態を考慮して小型基地局に負荷分散のためのハンドオーバーを行うように制御できる。
【００９７】
また、小型基地局は、小型セルＣＲＥ端末に対してマクロ基地局と小型基地局の負荷状態を考慮してマクロ基地局に負荷分散のためのハンドオーバーを行うように制御できる。
【００９８】
前記の負荷分散ハンドオーバーについては、図１３〜図１５で詳述する。
【００９９】
なお、時間領域セル間の干渉調整支援端末の状態遷移については、図９及び図１０を参照して以下で説明する。
【０１００】
図９は、本発明の実施例によるマクロ基地局の端末状態管理のための測定報告設定及び端末状態管理方法を示す図である。
【０１０１】
前記マクロ基地局９１０は、前記マクロセルをサービングとする端末をマクロセルｎｏｎ−ＣＲＥ端末状態とマクロセルＣＲＥ端末状態とに区分するための測定報告条件（Ｍｅａｓｕｒｅｍｅｎｔ  Ｒｅｐｏｒｔ  Ｔｒｉｇｇｅｒｉｎｇ  Ｃｏｎｄｉｔｉｏｎ）、及び前記マクロセルから前記小型セルにハンドオーバーを開始（ｉｎｉｔｉａｔｉｏｎ）するための測定報告条件を設定できる。
【０１０２】
まず、マクロ基地局９１０がマクロセルｎｏｎ−ＣＲＥ端末とマクロセルＣＲＥ端末とに区分するための測定報告条件を詳述すれば、マクロ基地局９１０は、マクロ端末に測定報告条件を下記の表３の例のようにＡ３イベントを利用して設定できる。
【０１０３】
ここで、Ｍｍａｃｒｏは、マクロセルのＲＳＲＰ（Ｒｅｆｅｒｅｎｃｅ  Ｓｙｍｂｏｌ  Ｒｅｃｅｉｖｅｄ  Ｐｏｗｅｒ）、Ｍｐｉｃｏは、小型セルのＲＳＲＰ，Ｏｆｆは、Ａ３−ｏｆｆｓｅｔパラメーター、Ｈｙｓは、ｈｙｓｔｅｒｅｓｉｓパラメーター、Ｏｃｐは、ｐｒｉｍａｒｙ（ｏｒｓｅｒｖｉｎｇ）ｃｅｌｌのＣＩＯ（Ｃｅｌｌ  Ｉｎｄｉｖｉｄｕａｌ  Ｏｆｆｓｅｔ）、Ｏｃｎは、ｎｅｉｇｈｂｏｒ  ｃｅｌｌのＣＩＯを意味する。
【０１０４】
下記の表３のパラメーター値は、小型セル領域６ｄＢ拡張を仮定した運用の一例であって、網状況及び端末の隣接セル干渉除去性能などによって差別的に調整可能な値であることに留意すべきである。
【０１０５】
【表３】
0006704347.tif 000004
【０１０６】
前記の表３及び図９の（１）シナリオを参照して、表３によって設定されたｎｏｎ−ＣＲＥ端末がマクロｎｏｎ−ＣＲＥ領域からマクロＣＲＥ領域に移動するとき、マクロ基地局と端末の動作を説明する。
【０１０７】
前記端末がマクロｎｏｎ−ＣＲＥ領域からマクロＣＲＥ領域に進入すれば、端末は、下記測定報告条件式を満足し、測定報告を行う。端末の測定報告を受けたマクロ基地局９１０は、前記端末の状態を遷移させ、具体的に、前記端末の状態をマクロセルｎｏｎ−ＣＲＥ端末状態からマクロセルＣＲＥ端末状態に遷移させる。そして、マクロ基地局９１０は、前記端末のセルトリガーリスト（ｃｅｌｌＴｒｉｇｇｅｒｅｄＬｉｓｔ）に前記小型セルを追加できる。
Ａ３  ｅｖｅｎｔ  ＃Ｍ１  ｆｏｒ  ｐｉｃｏ（ｅｎｔｅｒｉｎｇ）
Ｍｐｉｃｏ＋Ｏｃｎ（７）−Ｈｙｓ（１）＞Ｍｍａｃｒｏ＋Ｏｆｆ（２）
ｃｅｌｌｓ  Ｔｒｉｇｇｅｒｅｄ  Ｌｉｓｔ＝｛ｐｉｃｏ｝
【０１０８】
次に、図９の（２）シナリオを参照して、前記の表３によって設定されたマクロセルＣＲＥ端末がマクロＣＲＥ領域からマクロｎｏｎ−ＣＲＥ領域に進入すれば、端末は、下記測定報告条件式を満足し、測定報告を行う。
【０１０９】
端末の測定報告を受けたマクロ基地局は、前記端末の状態を遷移させ、より具体的に、前記端末の状態をマクロセルＣＲＥ端末状態からマクロセルｎｏｎ−ＣＲＥ端末状態に遷移させ、前記端末のｃｅｌｌＴｒｉｇｇｅｒＬｉｓｔから前記小型セルを削除する。
Ａ３  ｅｖｅｎｔ  ＃Ｍ１  ｆｏｒ  ｐｉｃｏ（ｌｅａｖｉｎｇ）
Ｍｐｉｃｏ＋Ｏｃｎ（７）＋Ｈｙｓ（１）＜Ｍｍａｃｒｏ＋Ｏｆｆ（２）
【０１１０】
次に、図９の（４）シナリオを参照して、表３によって設定されたマクロセルＣＲＥ端末がマクロセルＣＲＥ領域から小型セルｎｏｎ−ＣＲＥ領域に進入すれば、端末は、下記測定報告式を満足し、測定報告を行う。
【０１１１】
端末の測定報告を受けたマクロ基地局は、前記端末が小型基地局にハンドオーバーを行うように制御できる。
Ａ３  ｅｖｅｎｔ  ＃Ｍ２  ｆｏｒ  ｐｉｃｏ
Ｍｐｉｃｏ＋Ｏｃｎ（７）−Ｈｙｓ（１）＞Ｍｍａｃｒｏ＋Ｏｆｆ（９）
【０１１２】
図９の（３）シナリオを参照して、表３によって設定されたマクロ第１小型セル９２０のＣＲＥ端末が第１小型セルのＣＲＥ領域から第２小型セル９３０のＣＲＥ領域に進入すれば、下記測定報告式を満足し、測定報告を行う。
【０１１３】
端末の測定報告を受けたマクロ基地局９１０は、前記端末に対してマクロセルＣＲＥ端末状態を維持し、ｃｅｌｌｓＴｒｉｇｇｅｒｅｄＬｉｓｔに第２小型セルを追加する。
Ａ３  ｅｖｅｎｔ  ＃Ｍ１  ｆｏｒ  ｐｉｃｏ＃２（ｅｎｔｅｒｉｎｇ）
Ｍｐｉｃｏ’＋Ｏｃｎ（７）−Ｈｙｓ（１）＞Ｍｍａｃｒｏ＋Ｏｆｆ（２）
ｃｅｌｌｓＴｒｉｇｇｅｒｅｄＬｉｓｔ＝｛ｐｉｃｏ＃１，ｐｉｃｏ＃２｝
【０１１４】
図９の（３）シナリオを参照して、表３によって設定されたマクロ第２小型セル９３０のＣＲＥ端末が第２小型セルのＣＲＥ領域から第１小型セル９２０のＣＲＥ領域に進入すれば、下記測定報告式を満足し、測定報告を行う。
【０１１５】
端末の測定報告をマクロ基地局９１０は、前記端末に対してマクロセルＣＲＥ端末状態を維持し、ｃｅｌｌｓＴｒｉｇｇｅｒｅｄＬｉｓｔから第２小型セルを削除する。
Ａ３  ｅｖｅｎｔ  ＃Ｍ１  ｆｏｒ  ｐｉｃｏ  ＃２（ｌｅａｖｉｎｇ）
Ｍｐｉｃｏ’＋Ｏｃｎ（７）＋Ｈｙｓ（１）＞Ｍｍａｃｒｏ＋Ｏｆｆ（２）
ｃｅｌｌｓＴｒｉｇｇｅｒｅｄＬｉｓｔ＝｛ｐｉｃｏ＃１｝
【０１１６】
図９の（３）シナリオを参照して記述されたマクロ基地局と端末の前記動作は、任意個数の小型セルにも拡張適用可能である。
【０１１７】
図１０は、本発明の実施例による小型基地局の端末状態管理のための測定報告設定及び端末状態管理方法を示す図である。
【０１１８】
前記小型基地局は、前記小型セルをサービングとする端末を小型セルｎｏｎ−ＣＲＥ端末と小型セルＣＲＥ端末とに区分するための測定報告条件、及び前記小型セルからマクロセルにハンドオーバーを開始するための測定報告条件を設定できる。
【０１１９】
小型基地局が小型セルｎｏｎ−ＣＲＥ端末と小型セルＣＲＥ端末とに区分するための測定報告条件を詳述すれば、小型基地局は、小型セル端末に測定報告条件を下記の表４の例のようにＡ３イベントを利用して設定できる。
【０１２０】
ここで、Ｍｍａｃｒｏは、マクロセルのＲＳＲＰ  Ｍｐｉｃｏは、小型セルのＲＳＲＰ，Ｏｆｆは、Ａ３−ｏｆｆｓｅｔ，Ｈｙｓは、ｈｙｓｔｅｒｅｓｉｓ，Ｏｃｐは、ｐｒｉｍａｒｙ（ｏｒ  ｓｅｒｖｉｎｇ）ｃｅｌｌのＣＩＯ（Ｃｅｌｌ  Ｉｎｄｉｖｉｄｕａｌ  Ｏｆｆｓｅｔ），Ｏｃｎは、ｎｅｉｇｈｂｏｒ  ｃｅｌｌのＣＩＯを意味する。
【０１２１】
前記の表４のパラメーター値は、小型セル領域６ｄＢ拡張を仮定した運用の一例であって、網状況及び端末の隣接セル干渉除去性能などによってセル別に、端末別に相異に適用可能な値であることに留意すべきである。
【０１２２】
【表４】
0006704347.tif 000005
【０１２３】
図１０のシナリオ（５）を参照して、表４によって設定された小型セル１０１０のｎｏｎ−ＣＲＥ端末が小型セルｎｏｎ−ＣＲＥ領域から小型セルＣＲＥ領域に移動するとき、小型基地局１０１０と端末の動作を説明する。
【０１２４】
前記小型セルｎｏｎ−ＣＲＥ領域から小型セルＣＲＥ領域に進入すれば、端末は、下記測定報告条件式を満足し、測定報告を行う。端末の測定報告を受けた小型基地局１０１０は、前記端末の状態を遷移させ、より具体的に、前記端末の状態を小型セルＣＲＥ端末状態から小型セルｎｏｎ−ＣＲＥ端末状態に遷移させる。
Ａ３  ｅｖｅｎｔ  ＃Ｐ１  ｆｏｒ  ｍａｃｒｏ（ｅｎｔｅｒｉｎｇ）
Ｍｍａｃｒｏ−Ｈｙｓ（１）＞Ｍｐｉｃｏ＋Ｏｆｆ（２）
【０１２５】
図１０のシナリオ（６）を参照して、表４によって設定された小型セルＣＲＥ端末が小型セルＣＲＥ領域から小型セルｎｏｎ−ＣＲＥ領域に進入すれば、端末は、下記測定報告式を満足し、測定報告を行う。端末の測定報告を受けた小型基地局１０１０は、前記端末の状態を遷移させ、より具体的に、前記端末の状態を小型セルＣＲＥ端末状態から小型セルｎｏｎ−ＣＲＥ端末状態に遷移させる。
Ａ３  ｅｖｅｎｔ  ＃Ｐ１  ｆｏｒ  ｍａｃｒｏ（ｌｅａｖｉｎｇ）
Ｍｍａｃｒｏ＋Ｈｙｓ（１）＜Ｍｐｉｃｏ＋Ｏｆｆ（２）
【０１２６】
図１０のシナリオ（７）を参照して、表４によって設定された小型セルＣＲＥ端末がＣＲＥ領域からマクロセルのｎｏｎ−ＣＲＥ領域に進入すれば、下記測定報告式を満足し、測定報告を行う。端末の測定報告を受けた小型基地局１０１０は、前記端末が前記マクロ基地局１０２０にハンドオーバーを行うように制御できる。
Ａ３  ｅｖｅｎｔ  ＃Ｐ２  ｆｏｒ  ｍａｃｒｏ
Ｍｍａｃｒｏ−Ｈｙｓ（１）＞Ｍｐｉｃｏ＋Ｏｆｆ（５）
【０１２７】
図１０の（７’）シナリオを参照して、表４によって設定された第１小型セル１０１０のＣＲＥ端末が第２小型セル１０３０のＣＲＥ領域から第２小型セルＣＲＥ領域に進入すれば、下記測定報告式を満足し、測定報告を行う。端末の測定報告を受けたマクロ基地局１０２０は、前記端末が前記マクロ基地局１０２０にハンドオーバーを行うように制御できる。
Ａ３  ｅｖｅｎｔ  ＃Ｐ２  ｆｏｒ  ｍａｃｒｏ
Ｍｍａｃｒｏ−Ｈｙｓ（１）＞Ｍｐｉｃｏ＋Ｏｆｆ（５）
【０１２８】
なお、マクロ基地局及び小型基地局は、無線パケットスケジューラーのスケジューリング結果を入力されて、自セルの負荷情報を計算できる。前記セル負荷情報計算方法は、本発明の範囲を脱することができるので、具体的な説明は省略する。
【０１２９】
なお、マクロ基地局及び小型基地局は、周辺セルから受信した周辺セルの負荷情報とセル負荷計算部から受信した自セル負荷情報を収集して管理する。
【０１３０】
図１１は、本発明の実施例によるマクロ基地局と小型基地局の概略的な負荷分散動作を示す図である。
【０１３１】
網で時間領域セル間の干渉調整機能が活性化（例えば、ＡＢＳパターンの活性化）１１１０されれば、マクロ基地局は、既定義された周期ごとにＡＢＳ比率を決定１１２０し、既定義された周期ごとにマクロＣＲＥＵＥに対して小型基地局に負荷分散ハンドオーバーを行うか否かを決定１１３０できる。
【０１３２】
同様に、小型基地局は、既定義された周期ごとに小型セルＣＲＥＵＥをマクロ基地局に負荷分散ハンドオーバーを行うか否かを決定できる。
【０１３３】
前述した負荷分散ハンドオーバー決定方法は、図１３の説明部分で詳述する。
【０１３４】
以下では、ＡＢＳ比率決定方法を図１２を参照して説明する。
【０１３５】
図１２は、本発明の実施例によるマクロ基地局のＡＢＳ比率計算方法の１つの例示を示す図である。
【０１３６】
マクロ基地局は、ｅＩＣＩＣ機能の活性化可否などを含む条件が満足されれば、ＡＢＳ実行または未実行の可否を決定する。マクロ基地局がＡＢＳを行うと、マクロ基地局と小型基地局は、負荷分散ハンドオーバーを介したオフローディング実行可否を判断する。
【０１３７】
ＡＢＳ比率が０であれば、前記マクロセルのセル負荷、小型セルのセル負荷、マクロ基地局のＣＲＥ端末の比率を含む情報を基盤でＡＢＳ実行または未実行の可否を決定する。
【０１３８】
一例として、マクロ基地局の負荷が既定義されたＴＨＭ０以上であり、小型基地局の負荷が既定義されたＴＨＰ０以下であり、マクロ基地局のＣＲＥ端末の比率がＴＨＣＲＥ，１以上であれば、既定義されたＡＢＳ比率でＡＢＳ実行を決定できる。マクロ基地局は、前記動作を既定義された周期Ｔ０ごとに行うことができる。
【０１３９】
マクロ基地局は、現在ＡＢＳ比率が既定義された最小ＡＢＳの比率以上であれば、端末状態別に端末数、セル別に負荷を含む情報からＡＢＳ比率を決定できる。
【０１４０】
マクロ基地局は、マクロ基地局の負荷が既定義されたＴＨＭ１以下であり、小型基地局の負荷がＴＨＰ１以下であれば、ＡＢＳを未実行できる。マクロ基地局は、前記動作を既定義された時間Ｔ１ごとに周期的に行うことができる。
【０１４１】
マクロ基地局は、前記過程を通じてＡＢＳ比率が決定されれば、ＡＢＳ比率に対応する既定義されたＡＢＳパターンを選択する。
【０１４２】
図１３は、本発明の一実施例によるマクロ基地局と小型基地局の負荷分散のためのハンドオーバー判断方法を示す図である。
【０１４３】
マクロ基地局は、ｅＩＣＩＣ機能の活性化可否、ｅＩＣＩＣパートナーセルの存在有無、現在適用ＡＢＳの比率、マクロセルＣＲＥ端末の存在有無などを含む条件が満足されれば、マクロセルＣＲＥ端末をｅＩＣＩＣパートナー小型セルに負荷分散ハンドオーバーの必要可否を判断する。
【０１４４】
マクロ基地局は、前記マクロ基地局の負荷程度、小型基地局の負荷程度を含む情報から負荷分散ハンドオーバー可否を決定する。一例として、マクロ基地局の負荷がＴＨＭ２  １３１０以上であり、小型基地局の負荷がＴＨＰ２  １３２０以下であれば、マクロ基地局は、マクロセルＣＲＥ端末を小型基地局に負荷分散ハンドオーバーを行うことができる。マクロ基地局は、前記動作を既定義された時間Ｔ２ごとに周期的に行うことができる。
【０１４５】
同様に、小型基地局は、ｅＩＣＩＣ機能の活性化可否、ｅＩＣＩＣパートナーセルの存在有無、現在適用ＡＢＳの比率、小型セルＣＲＥ端末の存在有無などを含む条件が満足されれば、小型セルＣＲＥ端末をｅＩＣＩＣパートナー小型セルに負荷分散ハンドオーバーの必要可否を判断する。小型基地局は、前記小型基地局の負荷程度、マクロ基地局の負荷程度を含む情報から負荷分散ハンドオーバー可否を決定する。
【０１４６】
一例として、小型基地局の負荷がＴＨＰ３  １３３０以上であり、小型基地局の負荷がＴＨＭ３  １３４０以下であれば、小型基地局は、小型セルＣＲＥ端末をマクロ基地局に負荷分散ハンドオーバーを行うことができる。小型基地局は、前記動作を周期的に行うことができる。
【０１４７】
図１４は、本発明の一実施例によるマクロ基地局と小型基地局の負荷分散ハンドオーバー（ｆｏｒｃｅｄ  ｈａｎｄｏｖｅｒ）動作手続を示す流れ図である。
【０１４８】
まず、マクロ基地局は、Ｓ１４１０段階で、マクロセルＣＲＥ端末の小型基地局への負荷分散ハンドオーバーを決定できる。
【０１４９】
それでは、マクロ基地局は、Ｓ１４２０段階で、マクロセルＣＲＥ端末中の１つ以上の任意の端末を対象として測定報告を要請する。
【０１５０】
当該端末から測定報告を受信したマクロ基地局は、Ｓ１４３０段階で、測定報告をした端末のうち負荷分散ハンドオーバーを行う１つ以上の端末を選定する。
【０１５１】
そして、マクロ基地局は、Ｓ１４４０段階で、当該端末が小型セルにハンドオーバーを行うように制御できる。
【０１５２】
なお、マクロ基地局が測定報告を要請するマクロＣＲＥ端末を選択する方法の一例として、端末のＣＲＥ小型セルの負荷が既定義されたＴＨＰ２以下の端末に制限できる。
【０１５３】
また、マクロ基地局が測定報告をした端末のうち負荷分散ハンドオーバー端末を選定する方法の一例として、マクロ基地局は、小型基地局に対するＲＳＲＰが最も大きい端末の順に選択できる。
【０１５４】
１つの端末が複数の小型セルに対するマクロセルＣＲＥ端末である場合、マクロ基地局が測定報告をした端末のうち負荷分散ハンドオーバー端末を選定する方法の一例として、マクロ基地局は、各端末に対してＲＳＲＰが最も大きい小型基地局を選択し、各端末の前記値が最も大きい端末の順に選択できる。
【０１５５】
同様に、小型基地局は、小型セルＣＲＥ端末のマクロ基地局への負荷分散ハンドオーバーを決定できる。
【０１５６】
それでは、小型基地局は、小型セルＣＲＥ端末中の１つ以上の任意の端末を対象として測定報告を要請する。
【０１５７】
当該端末から測定報告を受信した小型基地局は、測定報告をした端末のうち負荷分散ハンドオーバーを行う１つ以上の端末を選定する。
【０１５８】
小型基地局は、当該端末をマクロセルにハンドオーバーを行う。マクロ基地局が負荷分散ハンドオーバー端末は、選定時に、測定報告値が最も大きいマクロ基地局が小型基地局のｅＩＣＩＣパートナーである場合に制限できる。
【０１５９】
図１５は、本発明の一実施例によるマクロ基地局から小型基地局に負荷分散ハンドオーバー実行時にマクロ基地局１５１０、小型基地局１５２０、端末１５３０の動作及びメッセージ流れの例を示す図である。
【０１６０】
マクロ基地局１５１０は、Ｓ１５０５段階で、マクロセル端末を小型セル１５２０に負荷分散のためのハンドオーバーをさせるか否かを判断できる。
【０１６１】
負荷分散のためのハンドオーバー実行が決定されれば、マクロ基地局１５１０は、Ｓ１５１０段階で、マクロセルＣＲＥ端末中の１つ以上の任意の端末１５３０を選択する。
【０１６２】
そして、マクロ基地局１５１０は、Ｓ１５２０段階で、前記端末１５３０にＲＲＣ連結再設定（ＲＲＣＣｏｎｎｅｃｔｉｏｎＲｅｃｏｎｆｉｇｕｒａｔｉｏｎ）のためのＲＲＣメッセージを伝送し、端末が測定報告を行うように要請する。前記メッセージは、｛ｔｒｉｇｇｅｒＴｙｐｅ＝“ｐｅｒｉｏｄｉｃａｌ”，ｐｕｒｐｏｓｅ＝“ｒｅｐｏｒｔＳｔｒｏｎｇｅｓｔＣｅｌｌ”，ｒｅｐｏｒｔＡｍｏｕｎｔ＝［ｒ１］｝情報を含むことができる。
【０１６３】
前記メッセージを受信した端末１５３０は、Ｓ１５２５段階で、周辺セルに対する測定情報を含む測定報告（Ｍｅａｓｕｒｅｍｅｎｔ  Ｒｅｐｏｒｔ）のためのＲＲＣメッセージをマクロ基地局１５１０に伝送する。
【０１６４】
マクロ基地局１５１０は、Ｓ１５３０段階で、各端末１５３０から受信した測定報告ＲＲＣメッセージ内の周辺セル測定値情報に基づいて負荷分散ハンドオーバー対象端末を選定する。
【０１６５】
マクロ基地局１５１０は、Ｓ１５３５段階で、ハンドオーバー対象小型基地局１５２０にハンドオーバー要請（ＨａｎｄｏｖｅｒＲｅｑｕｅｓｔ）Ｘ２メッセージを伝送することによって、前記端末１５３０が前記小型基地局１５２０にハンドオーバーをするように要請する。前記メッセージは、｛Ｃａｕｓｅ＝“Ｒｅｄｕｃｅｄ  Ｌｏａｄｉｎ  Ｓｅｒｖｉｎｇ  Ｃｅｌｌ”｝情報を含むことができる。
【０１６６】
前記メッセージを受信した小型基地局１５２０は、前記端末１５３０に対してサービス提供が可能であると判断されれば、Ｓ１５４０段階で、前記マクロ基地局１５１０にハンドオーバー要請確認（ＨａｎｄｏｖｅｒＲｅｑｕｅｓｔＡｃｋｎｏｗｌｅｄｇｅｍｅｎｔ）Ｘ２メッセージを伝送する。
【０１６７】
それでは、マクロ基地局１５１０、小型基地局１５２０、端末１５３０は、前記手続に引き続いて、Ｓ１５４５段階及びＳ１５５０段階でハンドオーバー実行（Ｈａｎｄｏｖｅｒ  Ｅｘｃｕｔｉｏｎ）及びハンドオーバー完了（Ｈａｎｄｏｖｅｒ  Ｃｏｍｐｌｅｔｉｏｎ）手続を行う。
【０１６８】
そして、小型基地局１５２０は、受信したハンドオーバー要請（ＨａｎｄｏｖｅｒＲｅｑｕｅｓｔ）Ｘ２メッセージに｛Ｃａｕｓｅ＝“Ｒｅｄｕｃｅｄ  Ｌｏａｄ  ｉｎ  Ｓｅｒｖｉｎｇ  Ｃｅｌｌ”｝が含まれた場合、ハンドオーバー対象端末を前記小型セルＣＲＥ端末状態に登録できる。
【０１６９】
前記動作手続及びメッセージ交換手続は、小型基地局からマクロ基地局への負荷分散ハンドオーバーにも適用可能であることに留意すべきである。
【０１７０】
以下では、マクロ基地局と小型基地局がセル間の干渉調整する方法について記述する。
【０１７１】
マクロ基地局がセル間の干渉調整をする方法は、自セル負荷情報を計算する過程と、自セル及び周辺セル負荷情報を収集する過程と、ＡＢＳの比率を決定する過程と、ＡＢＳパターンを決定する過程と、ＡＢＳパターンによって無線パケットスケジューリングを行う過程を含む。
【０１７２】
マクロ基地局は、無線パケットスケジューラーのスケジューリング結果を入力されて、自セルの負荷情報を計算する。前記セル負荷情報は、無線資源使用率を含む情報に基づいて算出できる。
【０１７３】
マクロ基地局は、周辺セルから受信した周辺セルの負荷情報とセル負荷計算部から受信した自セル負荷情報を収集して管理する。
【０１７４】
マクロ基地局は、図１２で詳述したように、マクロセル負荷情報、小型セル負荷情報、マクロセルＣＲＥ端末の比率を含む情報からＡＢＳ比率を決定できる。
【０１７５】
マクロ基地局は、前記過程を通じて決定されたＡＢＳ比率に対応するＡＢＳパターンを決定する。
【０１７６】
マクロ基地局は、前記過程を通じて決定されたＡＢＳパターン情報と測定部分集合（ｍｅａｓｕｒｅｍｅｎｔ  ｓｕｂｓｅｔ）情報を含むＸ２メッセージを通じてｅＩＣＩＣパートナー小型基地局に伝達する。
【０１７７】
マクロ基地局は、前記過程を通じて決定されたＡＢＳパターンを考慮して無線パケットスケジューリングを実施する。前記無線パケットスケジューラーが「ＡＢＳで伝送する信号及びチャネル」及び「ＡＢＳで伝送しない信号及びチャネル」は、既定義された規則に従う。
【０１７８】
なお、小型基地局がセル間の干渉調整をする方法は、自セル負荷情報を計算する過程と、自セル及び周辺セル負荷情報を収集する過程と、ＩＣＩＣパートナー基地局から受信したＸ２メッセージを通じてＡＢＳパターン情報を受信する過程と、ＡＢＳパターンを考慮して無線パケットスケジューリングを行う過程とを含む。
【０１７９】
小型基地局は、無線パケットスケジューラーのスケジューリング結果を入力されて、自セルの負荷情報を計算する。前記セル負荷情報は、無線資源使用率情報に基づいて算出できる。
【０１８０】
小型基地局は、周辺セルから受信した周辺セルの負荷情報とセル負荷計算部から受信した自セル負荷情報を収集して管理する。
【０１８１】
小型基地局は、ｅＩＣＩＣパートナーマクロ基地局のＡＢＳパターンを考慮して無線パケットスケジューリングを行う。小型基地局は、無線パケットスケジューリング過程でマクロ基地局からの干渉が大きい端末にＡＢＳに対応する保護されたサブフレームの無線資源をまず割り当てることによって、当該端末に対するマクロセル干渉を緩和させる。
【０１８２】
小型基地局は、ｅＩＣＩＣパートナーから受信した測定部分集合情報を考慮して、小型基地局をサービング基地局とする端末に測定資源制限（ｍｅａｓｕｒｅｍｅｎｔ  ｒｅｓｏｕｒｃｅ  ｒｅｓｔｒｉｃｔｉｏｎ）を行うように指示する。
【０１８３】
小型基地局は、無線パケットスケジューラーのスケジューリング結果を入力されて、自セルの負荷情報を計算する。小型基地局は、前記自セル負荷情報をＸ２メッセージを通じてｅＩＣＩＣパートナーマクロ基地局に伝達する。
【０１８４】
図１６は、本発明の一実施例による負荷分散ハンドオーバーとＣＲＥ領域調節の結合を統合負荷分散方法の概念を示す図である。
【０１８５】
図１６では、セル間の負荷を分散するにあたって、図８〜図１５を通じて詳述した「分散負荷ハンドオーバーを利用した方法」と「小型セル拡張領域調整方法」を結合した動作の例を詳述する。
【０１８６】
マクロ基地局１６１０は、マクロ基地局をサービング基地局とする端末をマクロセルＣＲＥ端末状態とマクロセルｎｏｎ−ＣＲＥ状態とに区分して管理する。
【０１８７】
マクロ基地局１６１０は、マクロセル全体領域のうち小型セル中心から小型セルの最大ＣＲＥ外側境界１６１５まで領域を除いた部分を「マクロセルｎｏｎ−ＣＲＥ領域」に当該領域に位置する端末の状態を「マクロセルｎｏｎ−ＣＲＥ端末状態」１６１７と定義する。
【０１８８】
また、マクロ基地局１６１０は、「小型セルの最大ＣＲＥ外側境界」１６１５から「小型セルの現在ＣＲＥ外側境界」１６２０までの領域を「マクロセルＣＲＥ領域」と定義し、当該領域に位置する端末の状態を「マクロセルＣＲＥ端末状態」１６１９と定義する。
【０１８９】
小型基地局１６３０は、小型基地局をサービング基地局とする端末を小型セルＣＲＥ端末状態と小型セルｎｏｎ−ＣＲＥ状態とに区分して管理する。小型基地局１６３０は、小型セル拡張以前のセル領域を「小型セルｎｏｎ−ＣＲＥ領域」と定義し、当該領域に位置する端末の状態を「小型セルｎｏｎ−ＣＲＥ端末状態」１６３２と定義する。
【０１９０】
また、小型基地局１６３０は、「小型セル拡張以前のセル領域境界」から「現在ＣＲＥ外側境界」１６２０までの領域を「小型セルＣＲＥ領域」と定義し、当該領域に位置する端末の状態を「小型セルＣＲＥ領域端末状態」１６３５と定義する。
【０１９１】
マクロ基地局１６１０と小型基地局１６３０は、共通で現在小型セルＣＲＥ外側境界からマクロセルＣＲＥ領域外側境界まで領域を共同サービス領域１６４０と定義する。
【０１９２】
マクロ基地局１６１０は、マクロ基地局をサービング基地局とする端末に測定報告のための２個の測定報告Ａ３−イベントを設定する。
【０１９３】
一番目のイベントは、小型セル最大ＣＲＥ外側境界１６１５、すなわちＭｍａｃｒｏ＋Ｏｆｆ＝ＭＰｉｃｏ＋ＣＲＥ＿ｏｆｆｓｅｔ＿ｍａｘを満足する境界を基準にして設定する。当該境界は、マクロ基地局１６１０が端末をマクロセルｎｏｎ−ＣＲＥ端末とマクロセルＣＲＥ端末とに区分するための目的に使用される。
【０１９４】
二番目のイベントは、マクロセル現在ＣＲＥ外側境界１６４０、すなわちＭｍａｃｒｏ＋Ｏｆｆ＝ＭＰｉｃｏ＋ＣＲＥ＿ｏｆｆｓｅｔ＿ｃｕｒｒｅｎｔを基準にして設定される。当該境界は、端末がマクロセルから小型セルにハンドオーバーを行う基準となる境界である。
【０１９５】
小型基地局１６３０は、小型基地局をサービング基地局とする端末に測定報告のための２個の測定報告Ａ３−イベントを設定する。
【０１９６】
一番目のイベントは、小型セルＣＲＥ内側境界１６３７、すなわちＭｍａｃｒｏ＝ＭＰｉｃｏ＋Ｏｆｆを満足する境界を基準で設定する。当該境界は、小型基地局１６３０が端末を小型セルｎｏｎ−ＣＲＥ端末と小型セルＣＲＥ端末とに区分するための目的に使用される。
【０１９７】
二番目のイベントは、小型セル現在ＣＲＥ外側境界１６２０、すなわちＭｍａｃｒｏ＝ＭＰｉｃｏ＋Ｏｆｆ＋ＣＲＥ＿ｏｆｆｓｅｔ＿ｃｕｒｒｅｎｔを満足する境界を基準にして設定される。
【０１９８】
ここで、Ｍｍａｃｒｏは、マクロセルのＲＳＲＰ、Ｍｐｉｃｏは、ピコセルのＲＳＲＰ、ＣＲＥ＿ｏｆｆｓｅｔ＿ｍａｘは、小型セルに対して適用可能な最大セル領域拡張程度、ＣＲＥ＿ｏｆｆｓｅｔ＿ｃｕｒｒｅｎｔは、現在小型セルに適用されたセル領域拡張程度、Ｏｆｆは、Ａ３−ｏｆｆｓｅｔを各々意味する。
【０１９９】
小型基地局１６３０は、小型基地局をサービング基地局とする端末を小型セルＣＲＥ端末状態と小型セルｎｏｎ−ＣＲＥ状態とに区分して管理する。
【０２００】
前記の方法が図６で詳述した方法との差異点は、マクロ基地局１６１０は、小型セルＣＲＥ端末が位置する領域をＣＲＥ領域の一部に制限できる。
【０２０１】
ここで、網は、マクロセルＣＲＥＵＥと小型セルＣＲＥＵＥが共同で位置する領域に共同サービス領域１６４０として定義する。マクロ基地局１６１０は、負荷分散ハンドオーバーの必要時にマクロセルＣＲＥ端末から共同サービス領域端末を判別する。マクロ基地局のうち共同サービス領域端末のうち負荷分散ハンドオーバー対象端末を選択する。マクロ基地局は、負荷分散ハンドオーバーを行う。
【０２０２】
図１７は、本発明の実施例によるマクロ基地局と小型基地局の負荷分散ハンドオーバーとＣＲＥ領域調節の結合を統合セル間の負荷分散動作過程を示す流れ図である。
【０２０３】
まず、Ｓ１７１０段階で、基地局は、カウンターＣｎｔを０に初期化する。そして、Ｓ１７２０段階で、基地局は、自セル負荷情報を含む情報から過負荷可否を判断する。
【０２０４】
過負荷状態と判断されれば、基地局は、Ｓ１７３０段階に進行する。なお、正常状態と判断されれば、基地局は、さらにＳ１７２０段階を繰り返して行う。
【０２０５】
そして、Ｓ１７３０段階で、基地局は、図１３で詳述したように、負荷分散ハンドオーバー実行の可能可否を判断する。条件が満足されれば、基地局は、Ｓ１７４０段階に進行する。なお、条件が満足されなければ、基地局は、Ｓ１７５０段階に進行する。
【０２０６】
Ｓ１７４０段階で、基地局は、負荷分散ハンドオーバー動作を行い、さらにＳ１７２０段階に移動できる。
【０２０７】
なお、負荷分散ハンドオーバー条件を満足させない場合、基地局は、Ｓ１７５０段階に進行し、カウンターＣｎｔを１だけ増加させる。そして、基地局は、Ｓ１７６０段階に進行し、Ｃｎｔの値が既定義されたパラメーターＴＨｃｎｔを超過するか否かを判断する。
【０２０８】
超過する場合、基地局は、Ｓ１７７０段階に進行し、小型セル拡張領域変更要請動作を行う。そうではなければ、基地局は、Ｓ１７２０段階に移動する。
【０２０９】
なお、Ｓ１７７０段階、すなわち小型セル拡張領域の変更要請動作で、マクロ基地局は、小型セル領域拡張を要請し、小型基地局は、小型セル領域縮小を要請する。
【０２１０】
図１８は、本発明の実施例による負荷分散ハンドオーバーとＣＲＥ領域調節の結合を統合セル間の負荷分散動作手続において基地局の負荷分散ハンドオーバー手続を示す。
【０２１１】
まず、マクロ基地局は、Ｓ１８１０段階で、マクロセルＣＲＥ端末を小型基地局に負荷分散のためのハンドオーバーを行うことを決定できる。
【０２１２】
それでは、マクロ基地局は、Ｓ１８２０段階で、マクロセルＣＲＥ端末中の１つ以上の任意の端末を対象として測定報告を要請する。そして、マクロ基地局は、受信した測定報告から共同サービス領域端末を区分する。
【０２１３】
ここで、共同サービス領域端末は、Ｍｍａｃｒｏ＋Ｏｆｆ＞Ｍｐｉｃｏ＋ＣＲＥ＿ｏｆｆｓｅｔ＿ｃｕｒｒｅｎｔであり、Ｍｍａｃｒｏ＜Ｍｐｉｃｏ＋Ｏｆｆ＋ＣＲＥ＿ｏｆｆｓｅｔ＿ｃｕｒｒｅｎｔを満足するマクロ端末である。
【０２１４】
マクロ基地局は、Ｓ１８４０段階で、測定報告し、共同サービス領域端末のうち負荷分散ハンドオーバーを行う１つ以上の端末を選定する。
【０２１５】
そして、マクロ基地局は、Ｓ１８５０段階で、当該端末が小型セルにハンドオーバーすることができるように制御する。
【０２１６】
この場合、マクロ基地局が測定報告を要請するマクロＣＲＥ端末を選択する方法の一例として、端末のＣＲＥ小型セルの負荷が既定義されたＴＨＰ２以下の端末に制限できる。
【０２１７】
また、マクロ基地局が測定報告をした端末のうち負荷分散ハンドオーバー端末を選定する方法の一例として、マクロ基地局は、小型基地局に対するＲＳＲＰが最も大きい端末の順に選択できる。
【０２１８】
また、１つの端末が複数の小型セルに対するマクロセルＣＲＥ端末である場合、マクロ基地局が測定報告をした端末のうち負荷分散ハンドオーバー端末を選定する方法の一例として、マクロ基地局は、各端末に対してＲＳＲＰが最も大きい小型基地局を選択し、各端末の前記値が最も大きい端末の順に選択できる。
【０２１９】
同様に、小型基地局は、Ｓ１８１０段階で、小型セルＣＲＥ端末をマクロ基地局に負荷分散のためのハンドオーバーを行うように決定できる。
【０２２０】
それでは、小型基地局は、Ｓ１８２０段階で、小型セルＣＲＥ端末中の１つ以上の任意の端末を対象として測定報告を要請する。そして、小型基地局は、Ｓ１８３０段階で、受信した測定報告から共同サービス領域端末を区分する。
【０２２１】
ここで、共同サービス領域端末は、Ｍｍａｃｒｏ＋Ｏｆｆ＞Ｍｐｉｃｏ＋ＣＲＥ＿ｏｆｆｓｅｔ＿ｃｕｒｒｅｎｔであり、Ｍｍａｃｒｏ＜Ｍｐｉｃｏ＋Ｏｆｆ＋ＣＲＥ＿ｏｆｆｓｅｔ＿ｃｕｒｒｅｎｔを満足する小型セル端末である。
【０２２２】
小型基地局は、Ｓ１８４０段階で、測定報告し、共同サービス領域端末のうち負荷分散ハンドオーバーを行う１つ以上の端末を選定する。
【０２２３】
そして、小型基地局は、Ｓ１８５０段階で、当該端末がマクロセルにハンドオーバーすることができるように制御できる。
【０２２４】
なお、マクロ基地局が負荷分散ハンドオーバー端末を選定するとき、測定報告値が最も大きいマクロ基地局が小型基地局のｅＩＣＩＣパートナーである場合に制限できる。
【０２２５】
図１９は、本発明の実施例による端末の内部構造を示すブロック図である。図１９に示されたように、本発明の端末は、送受信部１９１０と制御部１９２０を含むことができる。
【０２２６】
送受信部１９１０は、基地局と無線チャネルを形成し、信号を送受信できる。
【０２２７】
制御部１９２０は、端末が本発明の実施例によって動作できるように各ブロック間の信号流れを制御する。
【０２２８】
制御部１９２０は、マクロ基地局または小型基地局から測定報告設定メッセージを受信するように制御できる。引き続いて、制御部１９２０は、前記小型基地局に対する予備領域への進入または離脱を感知できる。そして、制御部１９２０は、前記測定報告設定メッセージの設定によって測定を行った後、測定結果を前記マクロ基地局または小型基地局に測定報告を伝送するように制御できる。
【０２２９】
前述した本発明によれば、マクロ基地局と小型基地局が混在した異種網移動通信システムでセル間の負荷分散方法及びセル間の干渉調整方法を提供し、網の無線資源効率を増大させることができる。また、本発明によれば、セル間の負荷分散方法及びセル間の干渉調整方法を提供するにあたって、網の負荷分散状態を適応的に反映できる。
【０２３０】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【符号の説明】
【０２３１】
３１０  マクロ基地局
３２０  セル領域
３３０  小型基地局
３４０  セル領域
４０５  マクロセル拡張領域端末管理部
４１０  自セル及び周辺セル負荷情報管理部
４１５  負荷分散ハンドオーバー判断部
４２０  負荷分散ハンドオーバー制御部
４２５  ＡＢＳ比率決定部
４３０  ＡＢＳパターン生成部
４３５  無線パケットスケジューラー
４４０  端末の測定資源制御部
４４５  負荷計算部
５０５  小型セル拡張領域端末管理部
５１０  自セル及び周辺セル負荷情報管理部
５１５  負荷分散ハンドオーバー判断部
５２０  負荷分散ハンドオーバー制御部
５２５  無線パケットスケジューラー
５３０  端末の無線資源測定制御部
５３５  負荷計算部
６１０  セル領域拡張以前セル領域
６２０  セル領域拡張以後セル領域
６３０  小型セルＣＲＥ端末
６４０  小型セルｎｏｎ−ＣＲＥ端末
７１０  マクロ基地局
７２０  小型セル第１予備領域
７３０  小型セル第２予備領域
７４０  小型基地局
８１０  マクロセルｎｏｎ−ＣＲＥ端末
８２０  マクロセルＣＲＥ端末
８３０  小型セルｎｏｎ−ＣＲＥ端末
８４０  小型セルＣＲＥ端末
９１０  マクロ基地局
９２０  マクロ第１小型セル
９３０  第２小型セル
１０１０  小型基地局
１０２０  マクロ基地局
１０３０  第２小型セル
１３１０  ＴＨＭ２
１３２０  ＴＨＰ２
１３３０  ＴＨＰ３
１３４０  ＴＨＭ３
１５１０  マクロ基地局
１５２０  小型基地局
１５３０  端末
１６１０  マクロ基地局
１６１５  小型セルの最大ＣＲＥ外側境界
１６１７  マクロセルｎｏｎ−ＣＲＥ端末状態
１６１９  マクロセルＣＲＥ端末状態
１６２０  小型セルの現在ＣＲＥ外側境界
１６３０  小型基地局
１６３２  小型セルｎｏｎ−ＣＲＥ端末状態
１６３５  小型セルＣＲＥ領域端末状態
１６３７  小型セルＣＲＥ内側境界
１６４０  共同サービス領域
１９１０  送受信部
１９２０  制御部
【図１】
0006704347.tif 000006
【図２】
0006704347.tif 000007
【図３】
0006704347.tif 000008
【図４】
0006704347.tif 000009
【図５】
0006704347.tif 000010
【図６】
0006704347.tif 000011
【図７】
0006704347.tif 000012
【図８】
0006704347.tif 000013
【図９】
0006704347.tif 000014
【図１０】
0006704347.tif 000015
【図１１】
0006704347.tif 000016
【図１２】
0006704347.tif 000017
【図１３】
0006704347.tif 000018
【図１４】
0006704347.tif 000019
【図１５】
0006704347.tif 000020
【図１６】
0006704347.tif 000021
【図１７】
0006704347.tif 000022
【図１８】
0006704347.tif 000023
【図１９】
0006704347.tif 000024